Podtech/llm-jp-corpus-v4-ja_patent huggingface dataset:
(57)【要約】【課題】  フグが共食いをするので共食いを無くし餌を沢山食べて歯の成長を止め歯を折られる分だけ成長する自動養殖用吸餌機。【解決手段】  マグニス効果（５）を出させる三角形でマグニス効果で餌を食べながら歯を削る自動養殖用吸餌機。【選択図】図３
2008092933.tif 000002
【特許請求の範囲】
【請求項１】
いけす型フグ養殖で共食いを避ける為、丸い養殖用吸餌機（１）の餌吸出口（２）丸凸部分に練餌をフグが口を付け吸い出す時、凸丸型大小には人口ダイヤが接着されているので人口ダイヤで歯が削れる養食用吸餌機。
【請求項２】
養殖用吸餌機（１）のフグ（９）が練り餌を凸丸型餌吸出穴（２）から餌をフグが口に銜えて餌を吸い出す時餌吸出穴には人口ダイヤで歯が削れるように何時も餌が排出きれるように凸丸型吸餌出穴（２）の［図３］で養殖用吸餌機中心部分上部に自動車の変速機（４）を設け変速機（４）の強弱で操作する養殖用吸餌機（１）。
【請求項３】
［図２］養殖用吸餌機（１）を回転させる時（１）には回転で吸い出し餌排出口（２）右側には水圧を下げる為右側に三角形（５）を付け回転しつつ進行する物体はマグヌス効果で水圧を下げ餌が流れ出る様にフグが常時口に銜え歯を削れるようにした自動養食用吸餌機。
【請求項４】
フグ養殖には魚の状態を見たり養殖用吸餌機（１）を天日で干し上げて乾燥消毒したり人口ダイヤを接着したりマグヌス効果  （５）を変速機の速度を変更たりする変速機［図１］（６）の速度弱、中、高又は後進のハンドル（６）の変速機を設けて加減する自動養食用吸餌機。
【請求項５】
双胴船（７）に載せられた前進後進速度変速機（６）と双胴船（７）に吊り下げられた養殖用吸餌機（１）は回転軸をカップリングで繋がり同時回転をなし電源はＡＣ１００Ｖ又はＤＣ蓄電池で養殖用吸餌機（１）に前進後進速度変速機（６）を設けて［図１参照］マグニス効果の強弱を加減して作動する自動養殖用吸餌機。
【発明の詳細な説明】
【技術分野】
【０００１】  本発明はフグが共食いをするので共食いを避ける為、養殖用吸餌機に吸餌の段階で餌を口に銜え吸いだす時三角形を付けマグヌス効果で水圧を下げ餌が流れ出るように吸い出し口凸丸型［図１］養殖用吸餌機吸出し口脇に付けフグは常時凸丸型を銜えこの凸丸型から餌を吸い出す時凸丸型には人口ダイヤが接着されているのでフグの歯が削れて共食いを無くする吸餌機に関するものである。
【背景技術】
【０００２】  将来、高級魚であるフグは益々養殖が増大するものと思われる時、今まで人手に頼り、手でペンチを握りフグの口を開けさせ、フグの歯をペンチで挟み歯を折って、フグ同士の共食いを避けるのが普通だった。
【発明の開示】
【発明が解決しようとする課題】
【０００３】  そのために、次のような問題点があった。
（イ）第一に気を付けねばならぬことは、囲いの網をフグが歯で食い破って囲い外に逃げだすことであった。
（ロ）歯をそのままにしておくとフグの歯が鋭利な武器に育ち、他のフグの体に食いつき結局共食いを始めることであった。
（ハ）フグが餌の味を忘れず常時凸丸型を銜えておけるようにして餌が常時出るようにする装置が欲しかった。
（ハ）フグの体に友食いで傷ができると細菌が付着し之が原因で斃死魚が出来、生簀全体の魚が全滅の可能性があった。
本発明は、これらの問題点解決するためになされたもである。
【課題を解決するための手段】
【０００４】  （イ）いけす型フグ養殖で共食いを避ける為、丸い養殖用吸餌機（１）の餌排出口凸丸型餌吸出穴（２）部分に練餌をフグ（９）が口を付け餌を吸い出す時、凸丸型大小には人口ダイヤが接着されているので人口ダイヤで歯が削れる自動養食用吸餌機である。
（ロ）フグが練り餌凸丸型［図１］の餌吸出し口（２）にフグが口に銜えて歯を削れるように何時も餌が吸い出せるように凸丸型（２）を［図１］で養殖用吸餌機（１）の上に自動車の  前進  後進速度変速機（６）には電源スイッチ（１０）を付け養殖用吸餌機（１）と前進後進速度変則機（６）を同時回転させ餌吸出し口の凸丸型餌吸出穴（２）右側にマグニス効果を出させる三角形（５）を付け回転で出来たマグヌス効果で養殖用吸餌機内（２）の水圧を下げて常時餌が流れ出るようにしたマグヌス効果を出させる三角形（５）を付けた自動養殖用吸餌機。
【発明の効果】
【０００５】  練り餌が養殖用吸餌機から常にマグヌス効果で出るようにしてフグはお腹が空くと凸丸型吸餌穴を銜え凸丸型餌吸出穴（２）には人口ダイヤが接着されているのでフグの歯が削れて友食いを避けられるのでフグの生簀大量養殖の道が開かれるものと思う。
【発明を実施するための最良の形態】
【０００６】以下、本発明の実施の形態について説明する。
（イ）［図１］の養殖用吸餌機図面真上に図１として回転させる自動車の前進後進速度変速機（６）と養殖用吸餌機（１）を同時回転させると凸丸型吸餌出穴の脇に三角形を［図３］の（５）を垂直に立て三角形の直角脇は回転によるマグ二ス効果で真空による水圧が減じこの状態では餌が流れ出る様になる自動車の変則機とマグ二ス効果を出させる三角形を設ける。
（ロ）養殖用吸餌機の餌吸出穴の凸丸型吸出穴にフグが餌を欲しがるたびに口に銜えるので歯が削れる人口ダイヤを接着する。
（ハ）自動車の変速機のハンドルの操作で前進低速、中速、高速又、後退も出来る変速機を設ける。
【図面の簡単な説明】
【０００７】
【図１】  本発明  前進後進変則機の斜視図。
【図２】  養殖用吸餌機の全体斜視図。
【図３】  本発明の凸丸型餌吸出穴より餌がマグニス効果で吸い出せる説明図。
【符号の説明】
１  養殖用吸餌機
２  凸丸型餌吸出穴
３  自動車のハンドル
４  変速機のはたらき
５  マグニス効果を出させる三角形
６  前進後進速度変速機
７  双胴船
８  フック
９  フグ
１０  電源スイッチ
【図１】
2008092933.tif 000003
【図２】
2008092933.tif 000004
【図３】
2008092933.tif 000005
(57)【要約】      （修正有）【課題】現在、個別の草木に対する除草作業は多大な人的労力や、絡みついた茎際の除草に神経を使っている。しかし今でもまだ除草のための有効な手立てが考え出されていない。【解決手段】除草シート１は光を通さない紙やプラスチックなどで作り、対象となる草木の周りに草を生やさない。シート１は水分を逃がさないので草木を乾燥から守る。除草シート１を自然界で生分解する素材で作ると、回収の手間がかからない。【選択図】図１
2008092931.tif 000002
【特許請求の範囲】
【請求項１】
草木の茎の周りに雑草が生えないようにする除草シート。
【請求項２】
前記除草シートの材質や形状を変えることにより、望むように水を管理することができるようにした。
【発明の詳細な説明】
【技術分野】
【００１】  この発明は、すでに植えてある草木の茎の周りに草が生えないようにする除草機能と、水管理に関する。
【背景技術】
【００２】  現在、個別の植栽された草木に対する除草は手作業や動力刈払い機で行っている。この除草作業にはこれまで様々な器具が用いられて来たが、個別の草木に的確に対応する除草器具が今は発明されていない。
【発明の開示】
【発明が解決しようとする課題】
【００３】  現在、草木の茎際に絡みついた雑草を取るために、手作業など多大な労力を払って除草をしている。これは草木の茎を傷めないように神経を使うからである。また日照りなどで植栽土が過度に乾燥し、水不足によって街路樹などが枯死する場合もたびたび見られる。
【課題を解決するための手段】
【００４】  除草シートの最大の特徴は、どんな茎の大きさの草木でも簡単に取りつけられることである。この除草シートには、シートの縁から草木の保護すべき茎まで達する切れ込みがあることが特徴である。除草シートの中心部には対象となる草木の茎を包みこむ適当な大きさの穴を開け、さらに茎が成長してもシートが上方にのみめくれ上がるようにした。図１〜図３
【発明の効果】
【００５】  除草シートによって草木の茎を覆えば、光が遮断されて茎の周りに雑草が生えなくなる。またシートが土の表面を覆うことにより水分の蒸発が抑えられ、少雨時や日照り時に草木が枯死するのを遅らせる。
【発明を実施するための最良の形態】
【００６】  除草シートは光を通さない紙やプラスチックなどで作る。シートには図１のように予め支柱や串を刺すための切れ込みを入れておく。中心部の穴の周りは図３のようなミシン目を入れておく。中心から放射するミシン目の数は４〜１２。除草シートの切れ込み部分の接合は図４の方法で行う。また風などに対する除草シートの固定は串や棒で行う。図６
「実施形態の効果」【００７】  対象となる草木の周りに草がないことにより、日常の管理がとてもやりやすくなる。特に小さな苗は雑草の旺盛な繁殖力の猛威から保護しないといけないが、除草シートはこの課題を解消する。
「他の実施形態」【００８】  除草シートを自然界で自然に分解性する素材で作ると、回収の手間がかからない。さらにシートの素材を透水性のあるものにすると、保水と給水が同時に行なえる。反対に、防水性のシート素材を使い、図５のようにシートの形状を変えることにより、雨水や水遣り水などを効率的に草木の根元に集めたり、不必要な水は排水したりできる。人工的な除草シートが周りの環境と違和感なく適合するようにするため、シート表面に柔らかい色を付けたり、絵を描く。
【図面の簡単な説明】
【００９】  この発明の実施形態を、図１〜図６に示す。
【図１】シートの形状は円から角形まで自在である、この発明の一実施形態を示す俯瞰図である。
【図２】中心に穴を開けた場合の一実施形態を示す横から見た図である。
【図３】草木の茎の入る穴、もしくはミシン目を入れた部分の拡大図である。〔図３の１〕中心に穴がない場合のミシン目の図〔図３の２〕中心に穴を開けた場合のミシン目の図
【図４】切れ目を重ね合わせる方法の図である。〔図４の１〕除草シートに切れ目を入れて引っ掛ける。〔図４の２〕除草シートを両面テープで止める。〔図４の３〕除草シートに雄雌の工作をつける。〔図４の４〕除草シートに穴を開け、留め串で縫う。〔図４の５〕初めから重ね代を作っておく。
【図５】水が低い所に集まる機能を持たせたシートの横断面図である。〔図５の１〕シートの中ほどに水の出口が数箇所ある。〔図５の２〕シートの中心が低い。
【図６】竹やプラスチックを使用した留め具の図である。
【符号の説明】
【００１０】１  シート    ２  草木の茎の入る穴、もしくは切れ目    ３  ミシン目    ４  支柱や串を刺す穴、もしくは切れ目    ５  切り込み    ６  シートを重ねるための切り込み    ７  両面テープ    ８  突起    ９  重ね代
【図１】
2008092931.tif 000003
【図２】
2008092931.tif 000004
【図３】
2008092931.tif 000005
【図４】
2008092931.tif 000006
【図５】
2008092931.tif 000007
【図６】
2008092931.tif 000008
(57)【要約】      （修正有）【課題】あらゆる麺類を無塩で、色艶、こしの強さ、喉ごしの良さ、弾力性に優れた  うどん麺類の製造方法を提供する。【解決手段】無塩でうどん麺類を製造するにあたり、粉寒天を添加することによって、色艶、こしの強さ、喉ごしの良さ、弾力性に優れたうどん麺類の製造方法。小麦粉１キログラムに対し０．０５グラムから１５グラムの範囲で添加する。１５グラムを超えると色艶、こしの強さ、喉ごしの良さ、弾力性に欠ける。【選択図】なし【特許請求の範囲】
【請求項１】
無塩うどん麺類を  製造するにあたり、粉寒天を添加することにより
色艶、こしの強さ、喉ごしの良さ、弾力性に優れた  うどん麺類の製造方法。
【請求項２】
前期のうどん麺類を  半生麺に加工することにより長期間の保存ができ
流通に適したものとなる。
【請求項３】
前記のうどん麺類に柑橘類  例えば  すだち、カボス、柚子、レモン、
シークァーサー、橙、又は、酢類等を  加える事も出来るうどん麺類の製造方法。
【請求項４】
前記のうどん麺類に  日本酒、ワイン等の醸造酒を添加する事によって  旨味が
増す  うどん麺類の製造方法。
【請求項５】
本発明では  うどん、麺類を茹でて冷水で洗い冷ます事で長時間経過しても
こしが弱くならない事を特徴とする。うどん麺類の製造方法。
【発明の詳細な説明】
【技術分野】
【０００１】
本発明は、うどん麺類の製造方法
【背景技術】
【０００２】
従来は  無塩でうどん麺類を製造することは  無理だとされてきたが
本発明では  食塩を一切使用せず  こし、色艶、弾力性、喉ごしに優れた、うどん麺類の製造方法  
【０００３】
本発明は  無塩でうどん麺類のこしを強くする為に  粉寒天を添加するうどん麺類の製造方法  
【０００４】
生活習慣病の一つである高血圧は、それだけでは疾患ではないため、サイレントキラーと言われるように特別な症状が出ないことが多い。しかし、高血圧の状態を長時間
放置しておくと、高い血圧に対応して働く心臓にはその負担による機能低下が生じ、又
高い血圧がかかる血管には壁圧の増加による血管の硬化が生じるため、高血圧は、脳卒中などの脳血管疾患や心臓病、腎疾患など多くの疾病の誘因になるといわれている。
【０００５】
WHOによれば、高血圧は最高血圧１４０mmHg以上、最低血圧９０mmHg以上と定義されているが、２０００年の第５次循環器疾患基礎調査によれば、日本人３０歳以上の成人のうち、男性は約５２％、女性は４０％が高血圧症に該当する。そのため、厚生労働省などによって、血圧を下げる様々な取り組みが奨励されている。
【特許文献１】特開２００６−２３０２２２
【０００６】
当発明においては粉寒天を一例にあげてはいるが、例えばマクサ、リュウキュウカブト、イトテングサ、ササメブト、イトテングサ、タオレグサ、オニクサ、ツヤクサ、エゾテングサ、ナンブクサ、ムラサキブト、ハイテングサ、ナンブクサ、コヒラ、ヨレクサ等のテングサ類、オバクササ等のテングサ類、オゴノリ、オオオゴノリ、クビレオゴノリ、カタオゴンリ、モサオゴノリ、シンカイカバオゴノリ等のオゴノリ属オゴモドキ属、オゴモドキ等のオゴモドキ属、フシキリンサイのキリンサイゾ属、ヒメイバラノリ、コケイバラ等のバラノリ属スギノリ等のスギノリ属、トガリイギス、ヒメイギス、ケイギス、ハネイギス、イギス、アミイサ、、こんにゃくフトイギス等のイギス属エゴノリ等のイギス属、エゴノリ等のエゴノリ属等の各種原藻から得られるものが挙げられる。
【発明の開示】
【発明が解決しようとする課題】
【０００７】
従来のうどんを製造するにあたり  食塩を使用して、こしの強さを出していたが、
本発明は  食塩を使用せず  色艶、こし、喉ごし、弾力性に優れたうどん麺類の製造方法。  
【０００８】
本発明は  うどん麺類を製造する過程で、小麦粉に粉寒天を  混入することによって、
商品の食感、風味、色艶、こしの強さ、喉ごし、弾力性に優れたうどん麺類の製造方法。
【０００９】
本発明の製造方法により、製造した麺類は、高血圧の要因となる塩分のとり過ぎを緩和させ  日本人の副食である麺類を体に優しい物として提供する事が出来るうどん麺類の製造方法。
【００１０】
本発明は寒天を用いる事で、無意識の内に食物繊維を摂取でき  整腸作用を促し  人体に良い影響をもたらす事の出来る、うどん麺類の製造方法。
【００１１】
うどん麺類を製造するにあたり、従来ならば食塩水を使うが、本発明では天然水を使用する事が、好ましいが水道水の使用でも問題は無い。
(57)【要約】【課題】本発明は高出力で薄型のスピーカを提供することを目的とするものである。【解決手段】そして、この目的を達成するために本発明は、磁気ギャップ１８を介して斜め方向、または略水平方向に配置した第一、第二の磁石１１，１３と、前記磁気ギャップ１８に可動自在に配置したボイスコイル１９と、このボイスコイル１９に結合した振動板１５とダンパー１６とを備え、前記ダンパー１６は平面形状からなり、第二の磁石１３の下方に配置する構成としたものである。【選択図】図１
2008092026.tif 000002
【特許請求の範囲】
【請求項１】
磁気ギャップを介して斜め方向、または略水平方向に配置した第一、第二の磁石と、前記磁気ギャップに可動自在に配置したボイスコイルと、このボイスコイルに結合した振動板とダンパーとを備え、前記ダンパーは平面形状からなり、第二の磁石の下方に配置する構成としたスピーカ。
【請求項２】
第一、第二の磁石は磁気的に連結させて磁気回路を形成させるようにした請求項１に記載のスピーカ。
【発明の詳細な説明】
【技術分野】
【０００１】
本発明は各種音響機器および情報通信機器に使用されるスピーカに関するものである。
【背景技術】
【０００２】
従来のスピーカについて、図４により説明する。
【０００３】
図４は従来のスピーカの断面図を示したものである。
【０００４】
図４によると、着磁された磁石１をセンターポール３Ａを有する下部プレート３に結合し、磁石１の下部プレート３と結合した反対側に上部プレート２を結合して、これらで外磁型の磁気回路４を構成している。
【０００５】
そして、この磁気回路４にフレーム６を結合し、このフレーム６の周縁部に振動板７を結合している。
【０００６】
そして、この振動板７にボイスコイル体８を結合するとともに、このボイスコイル体８を上記磁気回路４の磁気ギャップ５に挿入してスピーカを構成している。
【０００７】
このような従来の構成のスピーカにおいてスピーカの薄型化を図るためには、その磁気回路を形成するための磁石を小型化することが当然のように行われているが、磁石を小さくすると磁力が小さくなり、その結果として音声出力も小さくなってしまうので、実際は磁石をあまり小さくはできない状態になっている。
【０００８】
なお、この出願の発明に関する先行技術文献情報としては、例えば、特許文献１が知られている。
【特許文献１】特開２００５−５１２８３号公報
【発明の開示】
【発明が解決しようとする課題】
【０００９】
上述のごとく従来から、携帯機器などの電子機器に内蔵させるタイプのスピーカは薄型化が図られているが、音声出力が小さくなってしまうのを避けるべく、実際には磁石をあまり小さくはできないのが実態で、その結果として十分に満足できる薄型化が行なえていないという問題があった。
【００１０】
そこで本発明は薄型化が図れ、しかも音声出力を高めるようにすることを目的にするものである。
【課題を解決するための手段】
【００１１】
そしてこの目的を達成するために本発明は、磁気ギャップを介して斜め方向、または略水平方向に配置した第一、第二の磁石と、前記磁気ギャップに可動自在に配置したボイスコイルと、このボイスコイルに結合した振動板とダンパーとを備え、前記ダンパーは平面形状からなり、第二の磁石の下方に配置する構成としたものである。
【発明の効果】
【００１２】
以上のように本発明は、第一、第二の二つの磁石を磁気ギャップを介して斜め方向、または略水平方向に配置し、この磁気ギャップに配置したボイスコイル磁束が略直交する構成とすることにより、薄型化が図れ、磁力を高めて音声出力を高めることができる。
【００１３】
また、ダンパーを平面形状として、第二の磁石の下方に配置する構成とすることにより、さらに薄型化することができるものである。
【発明を実施するための最良の形態】
【００１４】
以下本発明の一実施の形態について図１を用いて説明する。
【００１５】
図１は本発明のスピーカを示す断面図であり、下ヨーク１７ａの中央部に第一の磁石１１と第一のプレート１２が接着により配置され、上ヨーク１７ｂの内側に第二の磁石１３と第二のプレート１４が接着により配置されている。下ヨーク１７ａと上ヨーク１７ｂはフレーム２０により保持されている。
【００１６】
そして、第一の磁石１１と第一のプレート１２は第二の磁石１３と第二のプレート１４と斜め方向、又は略水平方向に配置され、これらの下ヨーク１７ａ、上ヨーク１７ｂ、第一の磁石１１、第一のプレート１２、第二の磁石１３、第二のプレート１４により磁気回路が構成される。このような構成の磁気回路は斜向磁気回路と呼ばれている。
【００１７】
磁気ギャップ１８は、第一の磁石１１、第一のプレート１２と第二の磁石１３、第二のプレート１４により、上面側に向けて開口して形成されている。
【００１８】
ボイスコイル１９は、その一方の端部に振動板１５が結合され、もう一方の端部にはダンパー１６が結合されており、磁気ギャップ１８に対して上下方向に可動可能に配置されたもので、ボイスコイル１９の上端の外周部に接続された振動板１５を振動させる軸となる構造となっている。
【００１９】
ダンパー１６は平面形状からなり、第二の磁石１３、第二のプレート１４の下方に配置される。このダンパー１６は、図２および図３に示すように、平板状の弾性部材を部分的にくりぬくことにより、ダンパーの役割を果たすようになっている。特に図３に示す形状は蝶ダンパーと呼ばれている。
【００２０】
ボイスコイル１９に音声信号を印加することで、磁気ギャップ１８の磁界と反応しボイスコイル１９が上下方向に駆動し、この駆動により振動板１５が振動してスピーカから音が発信されるものである。
【００２１】
本発明のスピーカは、第一の磁石１１と第二の磁石１３の二つの磁石を用いて磁気ギャップ１８を構成しているため、ボイスコイル１９に大きな駆動力を発生させることができ、その結果として振動板１５による音声出力も大きなものとすることができる。
【００２２】
また、ダンパー１６を平面形状として、第二の磁石１３の下方に配置する構成とすることにより、スピーカをさらに薄型化することができる。
【００２３】
上記の実施の形態は、スピーカの形状と円形として説明したが、上記の構成を有するものであれば、楕円形や細長形であってもよいのは勿論である。
【産業上の利用可能性】
【００２４】
本発明は、薄型構造で、かつ高出力の音圧を上げることができるスピーカを提供することができ、各種音響機器および情報通信機器に使用されるスピーカに有用である。
【図面の簡単な説明】
【００２５】
【図１】本発明の一実施の形態におけるスピーカの断面図
【図２】平面形状からなるダンパーの斜視図
【図３】平面形状からなるもう一つのダンパーの斜視図
【図４】従来のスピーカの断面図
【符号の説明】
【００２６】
１１  第一の磁石
１２  第一のプレート
１３  第二の磁石
１４  第二のプレート
１５  振動板
１６  ダンパー
１７ａ  下ヨーク
１７ｂ  上ヨーク
１８  磁気ギャップ
１９  ボイスコイル
２０  フレーム
【図１】
2008092026.tif 000003
【図２】
2008092026.tif 000004
【図３】
2008092026.tif 000005
【図４】
2008092026.tif 000006
(57)【要約】      （修正有）【課題】柄に、網を取り付けるための枠と、蓋用の網を閉じるための部材を取り付け、部材を移動させることにより蓋用の網が開閉出来るように、紐等で連動することが出来ることを特徴とする虫閉じ込め網の提供。【解決手段】柄eに、網を取り付けるための枠と、蓋用の網bを閉じるためのレバーdを取り付ける。レバーdは引くと蓋用の網bが閉まるように、紐等cでつなげ連動させる。レバーdを引くと蓋用の網bが閉じて、虫を網の中に閉じ込めることができる。レバーdは、蓋用の網bを閉める為の手段で、蓋用の網bと連動したものなら、レバーでなくてもよい。天井等、高い所等は、角度をつけた方が虫等を捕獲しやすい為、曲げることが出来また、レバーdを引いた時にスイッチgが作動しスピーカーhより音が鳴ることが出来るようにしてもよい。【選択図】  図３
2008092838.tif 000002
【特許請求の範囲】
【請求項１】
柄に、網を取り付けるための枠と、蓋用の網を閉じるための部材を取り付け、部材を移動させることにより蓋用の網が開閉し完全に虫等を閉じ込めることが出来るように、紐等で連動することが出来ることを特徴とする虫閉じ込め網。
【請求項２】
網の中にティッシュや使い捨てが出来る網などをセットし、蓋用の網が閉まったときティッシュに包まれるように虫が捕獲されて、そのまま処理することが出来ることを特徴とする虫閉じ込め網。
【請求項３】
音が鳴るように、スピーカーとスイッチを取り付け、虫を捕獲した時などに音が鳴るようにし、また捕獲しやすいように、柄と網が角度をつけることを特徴とする。
【発明の詳細な説明】
【技術分野】
【０００１】
本発明は、虫閉じ込め網に関するものである。
【背景技術】
【０００２】
方形状からなる、枠体の両側内側にガイドレールを有する枠体と、該枠体を開口部とするように設けられた網袋やカゴ等の収集具であって、前記枠体に設けられた取手と、前記ガイドレールに沿って移動する可動体と、該可動体を移動させる移動機構と、可動体に一片が固定され、一片が枠体に固定された網やシート等の遮蔽部材よりなり、可動体と遮蔽部材は移動機構による移動により、枠体と開口させた状態と遮蔽部材により枠体を塞ぐ状態とに相互に切り替えられるものであることを特徴とする蓋付き捕獲器。
【特許文献１】公開特許公報  ２００６−１４９３５７
【特許文献２】公開特許公報  ２００４−２４２６０６
【発明の開示】
【発明が解決しようとする課題】
【０００３】
虫など生き物を捕獲するときは、網で捕獲しても完全に閉じ込めることが出来ず、素手やティッシュ等で捕獲するのは感触が悪く、逃げられやすい。うまく網などで捕獲できても、処理する時には、外に逃がしたり、別の容器に入れて手間がかかる。殺虫剤をまくと、部屋の中や物に匂いがつき、少量でも人が吸い込むと良いとは言えない。
ハエたたきや新聞紙などでたたくと、壁や物に挟まれて虫などが潰されてしまい、汚れてしまうし気持ちが悪く、後の処理が面倒である。
【課題を解決するための手段】
【０００４】
柄に、網を取り付けるための枠と、蓋用の網を閉じるための部材を取り付け、部材を移動させることにより蓋用の網が開閉出来るように、紐等で連動することが出来ることを特徴とする虫閉じ込め網。
網の中にティッシュや使い捨てが出来る網などをセットし、蓋用の網が閉まったときティッシュに包まれるように虫が捕獲されて、そのまま処理することが出来る。
音が鳴るように、スピーカーとスイッチを取り付け、虫を捕獲した時などに音が鳴るようにしてもよい。また捕獲しやすいように、柄と網に角度をつけることが出来る虫閉じ込め網である。
【発明の効果】
【０００５】
網やティッシュ等で閉じ込める為、素材が軽く捕獲しやすい。
虫を潰すことなくまた、壁や物等が汚れないので、後の処理が楽である。
虫等に手で触れることなくまた、網を接地したまま閉じることが出来る為、捕獲できる確率が高い。
【発明を実施するための最良の形態】
【０００６】
柄eに、網を取り付けるための枠と、蓋用の網bを閉じるためのレバーdを取り付ける。レバーdは引くと蓋用の網bが閉まるように、紐等cでつなげ連動させる。レバーdを引くと蓋用の網bが閉じて、虫を網の中に閉じ込めることができる。レバーdは、蓋用の網bを閉める為の手段で、蓋用の網bと連動したものなら、レバーでなくてもよい。天井等、高い所等は、角度をつけた方が虫等を捕獲しやすい為、曲げることが出来また、レバーdを引いた時にスイッチgが作動しスピーカーhより音が鳴ることが出来るようにしてもよい（図３）。また、柄eが伸びるようにしてもよい。図４のように網aの中にティッシュや網または使い捨てが出来るものfをセットし、蓋用の網bが閉まったときティッシュfに包まれるように虫が捕獲されて、そのまま処理することも出来る。この時、蓋用の網bがなくてもよい。
【図面の簡単な説明】
【０００７】
【図１】（１）虫等を捕獲する前の形状である。    （２）（１）の斜図
【図２】（１）虫等を捕獲した後の形状である。    （２）（１）の斜図
【図３】角度をつけた時また、スイッチとスピーカーを取り付けた時の図である
【図４】（１）fティッシュで捕獲する前の形状である。（２）fティッシュで捕獲する後の形状である。
【符号の説明】
【０００８】
ａ  網
ｂ  蓋用の網
ｃ  紐
ｄ  レバー
ｅ  柄
f  ティッシュ
g  スイッチ
h  スピーカー
【図１】
2008092838.tif 000003
【図２】
2008092838.tif 000004
【図３】
2008092838.tif 000005
【図４】
2008092838.tif 000006
(57)【要約】【課題】従来の光るルアーは硬質の素材に穴を空け、この穴に発光体を差し込む構造のため、穴は空洞としてルアー本体に存在すれため光りを必要としない場合は本来のルアーの機能に支障をきたす問題があった。さらにこの構造ではルアーの任意の部位に発光体を装着することができない欠点を有していた。【解決手段】光透過性を有し柔軟な素材よりなる疑似餌本体に釣り針を付け、且つ該疑似餌本体に一端を尖らせた化学発光体を尖った部分より挿入し、前記化学発光体は可撓性を有し光透過性からなる容器内に２種類の発光組成物の混合により化学発光を呈する一方の組成物を破割性アンプルに入れ他方の組成物をアンプルの外側で容器内に充填した構成からなる光る疑似餌。【選択図】図１
2008092864.tif 000002
【特許請求の範囲】
【請求項１】
光透過性を有し柔軟な素材よりなる疑似餌本体に釣り針を付け、且つ該疑似餌本体に一端を尖らせた化学発光体を尖った部分より挿入し、前記化学発光体は可撓性を有し光透過性からなる容器内に２種類の発光組成物の混合により化学発光を呈する一方の組成物を破割性アンプルに入れ他方の組成物をアンプルの外側で容器内に充填した構成からなる光る疑似餌。
【請求項２】
疑似餌本体の頭部付近あるいは腹部付近に化学発光体を挿入した請求項１記載の光る疑似餌。
【請求項３】
化学発光体の表面に抜け防止用凹凸を設けた請求項１,２記載の光る疑似餌。
【請求項４】
疑似餌本体に挿入口および該挿入口とつながった収容部を設け、化学発光体を挿入口から挿入し収容部に収める構成とした請求項１,2,3，記載の光る疑似餌。
【請求項５】
光透過性の低い柔軟な素材よりなる疑似餌本体に光透過孔を１ヶ以上設け、且つ該疑似餌本体に一端を尖らせた化学発光体を尖った部分より挿入して前記光透過孔と交差せしめ、前記化学発光体は可撓性を有し光透過性からなる容器内に２種類の発光組成物の混合により化学発光を呈する一方の組成物を破割性アンプルに入れ他方の組成物をアンプルの外側で容器内に充填した構成からなる光る疑似餌。
【請求項６】
化学発光体の表面に抜け防止用凹凸を設けた請求項５記載の光る疑似餌。
【請求項７】
前記光透過孔を収容部と交差させた請求項５記載の光る疑似餌。
【発明の詳細な説明】
【技術分野】
【０００１】
本発明は、釣りに使用される光る疑似餌（ソフトワーム）に関するものである。
【背景技術】
【０００２】
魚に興味を起こさせる要因には、光り、動き、臭い、音があり、このうち光りに関する先行技術には実用新案出願平９−１１９２１の「光るルアー」がある。
【０００３】
上記の考案はドリル等で穴をあけるためルアーの素材は硬質であり、穴は空洞として存在する。従って光りを必要としない場合は本来のルアーの使用に支障をきたす問題がある。さらにこの構造ではルアーの任意の部位に発光体を装着することができない。
【０００４】
【特許文献１】実用新案出願平９−１１９２１号
【発明の開示】
【発明が解決しようとする課題】
【０００５】
予めルアーに穴をあけて空洞部を設ける従来のルアーは上記のように実用的ではなかった。
【課題を解決するための手段】
【０００６】
本発明は、光透過性を有し柔軟な素材よりなる疑似餌本体に針と共に一端を尖らせた化学発光体を尖った部分より挿入し、前記化学発光体は可撓性を有し光透過性からなる容器内に２種類の発光組成物の混合により化学発光を呈する一方の組成物を破割性アンプルに入れ他方の組成物をアンプルの外側で容器内に充填したことを特徴とする。
【発明の効果】
【０００７】
本発明は、市販のソフト疑似餌に挿入して疑似餌全体でも、あるいは頭部、腹部など部分的に任意の部位を発光させることができるので実用性の高い商品を提供できる。また発光体を未挿入時の使用はなんら問題は生じない。
【発明を実施するための最良の形態】
【０００８】
以下実施例によって本発明を詳細に説明する。
【実施例１】
【０００９】
図１は、実施例１の説明図であり、化学発光体１の全長は１３ｍｍ、外径は２．２ｍｍ一方の端は尖っている。疑似餌２の全長は３６ｍｍワームの本体の外径は４ｍｍである。
使用する時は、化学発光体１を曲げてガラスアンプル３を割って２種類の液を混合して発光させる。発光させた化学発光体１の尖った部分４から疑似餌の頭部５に挿入し、長さ方向に差し込んでいく。その後ジグヘッド６を差し込んで針先を疑似餌２から出す(a,b,c)。
あるいはジグヘッド６を先に付けた後発光体１を挿入してもよい。
発光する疑似餌２は餌全体が光るよりも部分的な点に近い発光の方が釣果が向上することが知られているので、可能なかぎり短い方が望ましい。また疑似餌の発光部位は頭部５もしくは腹部付近が効果的である。
【００１０】
発光体の発光色は限定するものではない。発光体を外す時はＡの部分を指で押圧することで挿入口７より出てくる。また使用する釣り針６の種類は限定するものではない。さらに疑似餌に複数本の発光体を挿入することもできる。
【実施例２】
【００１１】
図２に示すように化学発光体の胴の部分に断面積の大きな部分Xと断面積の小さな部分Yを設けることにより（e,f,g）、挿入された化学発光体が侵入方向と逆に移動する（外れる）のを防止できる。
【実施例３】
【００１２】
疑似餌本体成形時に頭部５の頂部から細いロッドあるいは薄い片を挿入しておけば、成形後素材が柔軟性、弾力性を有するため空洞のほとんど無いふさがった挿入口７と収容部８ができる。あるいは成形後に細いロッドあるいは薄い片を挿入する方法もあるが効率的ではない。このように予め疑似餌本体に挿入口６と収容部７を設けておけば発光体１の装着が簡単となる。図３，４参照。
また疑似餌本体の挿入口７を凹状９に、あるいは挿入口７に印をつけておけば位置の確認ができて取り付けが簡便になる。
【実施例４】
【００１３】
疑似餌本体が光不透過あるいは光り透過性の低い素材の場合は、図５に示すように光り透過孔１０を設けておけば該光り透過孔１０を横断するように（図６）化学発光体１を挿入すれば該孔１０から光りが放出される。
【００１４】
なお、疑似餌本体を蛍光物質で着色したり、疑似餌本体に蓄光性物質あるいは光反射素材を混入したものも本発明に属する。
【図面の簡単な説明】
【００１５】
【図１】本発明の第１実施例の説明図である。
【図２】本発明の第２実施例の化学発光体の拡大説明図である。
【図３】本発明の第３実施例のワームの正面図である。
【図４】本発明の第３実施例のワームの側面図である。
【図５】本発明の第４実施例のワームの断面説明図である。
【図６】本発明の第４実施例のワームの側面図である。
【符号の説明】
【００１６】
１    化学発光体
２    疑似餌
３    ガラスアンプル
４    尖った部分
５    頭部
６    釣り針、ジグヘッド
７    挿入口
８    収容部
９    凹状
１０  光り透過孔
【図１】
2008092864.tif 000003
【図２】
2008092864.tif 000004
【図３】
2008092864.tif 000005
【図４】
2008092864.tif 000006
【図５】
2008092864.tif 000007
【図６】
2008092864.tif 000008
(57)【要約】【課題】インバータアーム間の浮遊インダクタンスLに発生する誘導起電力による電圧(Ldi/dt)を検出することによりインバータアームの短絡電流を検知し、この機能のための高価な変流器やその他の電流検出装置を不要にする。【解決手段】第１のスイッチング素子(ＩＧＢＴ)と第２のスイッチング素子(ＩＧＢＴ)間のインバータアームにツイストペアの電線を一本づつに分けてインバータアームの上下に沿わせつつ浮かないようして、各電線の末端に装着した圧着端子をインバータアーム上にねじ止めすることにより固定する。ツイストペアの電線を接続したインバータアーム間の浮遊インダクタンスLに発生する誘導起電力による電圧(Ldi/dt)を検出し直流電圧電源の両端に短絡が発生したこと検知する。ツイストペア電線はゲート駆動回路内にある短絡検知回路に接続される。【選択図】図１
2008092713.tif 000002
【特許請求の範囲】
【請求項１】
直流電圧電源の両端に直列に接続される逆並列ダイオードを備えた第１のスイッチング素子と第２のスイッチング素子を有するインバータ装置において、該第１のスイッチング素子と該第２のスイッチング素子間のインバータアームにツイストペアの電線を一本ずつに分けて、該インバータアームの上下に沿わせつつ浮かないようして、各該ツイストペアの電線の末端に装着した圧着端子を前記インバータアーム上にねじ締結し、該直流電圧電源の両端が短絡し、前記インバータアームに短絡電流が流れた時、前記ツイストペアの電線を接続した前記インバータアーム間の浮遊インダクタンスLに発生する誘導起電力による電圧を検出し、前記直流電圧電源両端の短絡が検知されることを特徴とするインバータ装置。
【発明の詳細な説明】
【技術分野】
【０００１】
本発明は、高価な変流器やその他の電流検出装置を使用することなく安価な装置でインバータ装置のアーム短絡発生の検知を可能にしたインバータ装置に関するものである。
【背景技術】
【０００２】
従来のインバータ装置では、変流器を使用して電流の検出を行うのが一般的であった。
その他にこれまでにも、第１のスイッチング素子(ＩＧＢＴ)と第２のスイッチング素子(ＩＧＢＴ)間のインバータアームに分流器を設置してアーム短絡電流を検知する方式(特許文献１参照)などが提案されている。
【特許文献１】特開２０００−１８４７３５公報
【発明の開示】
【発明が解決しようとする課題】
【０００３】
そのため、スイッチング素子にアーム短絡電流が流れても、それを検出できず、スイッチング素子(ＩＧＢＴ)を破壊してしまうだけでなく周辺装置に甚大な被害を与えるか、または、高価ＣＴ回路を付加しなければならなかった。その他にこれまでにも、第１のスイッチング素子(ＩＧＢＴ)と第２のスイッチング素子(ＩＧＢＴ)間のインバータアームに分流器を設置してアーム短絡電流を検知する方式(特許文献１参照)などが提案されているがそのような回路なしに安価な装置でアーム短絡を検知する。
【課題を解決するための手段】
【０００４】
その目的を達成するため、直流電圧電源の両端に直列に接続される逆並列ダイオードを備えた第１のスイッチング素子(ＩＧＢＴ)と第２のスイッチング素子(ＩＧＢＴ)を有するインバータ装置において、第１のスイッチング素子(ＩＧＢＴ)と第２のスイッチング素子(ＩＧＢＴ)間のインバータアームにツイストペアの電線を一本ずつに分けてインバータアームの上下に沿わせつつ浮かないようして、各電線の末端に装着した圧着端子をインバータアーム上にねじ止めすることにより固定する。
直流電圧電源の両端が何らかの原因により短絡しインバータアームに短絡電流が流れた時、ツイストペアの電線を接続したインバータアーム間の浮遊インダクタンスLに発生する誘導起電力による電圧(Ldi/dt)を検出し直流電圧電源の両端に短絡が発生したこと検知する。
ツイストペア電線はゲート駆動回路内にある短絡検知回路に接続され、短絡保護回路により速やかに、ゲート信号を停止する事でスイッチング素子（IGBT）の短絡耐量内で、短絡電流を遮断し、アーム短絡に依る装置の破損を最小限に留める。
【発明の効果】
【０００５】
本発明を使用することによって、高価な変流器やその他の電流検出装置を使用することなく安価な構成によりアーム短絡を検知できるようになり、それによりアーム短絡保護信号を出力することができるため、アーム短絡による装置の破損を最小限に留める。
【発明を実施するための最良の形態】
【０００６】
以下、本発明の実施の形態について図１を参照して説明する。
【０００７】
逆並列ダイオードを備えた第１のスイッチング素子２１(ＩＧＢＴ)および第２のス
イッチング素子２２(ＩＧＢＴ)の間のインバータアーム５にツイストペア電線３１を一本ずつ分けてインバータアーム５の上下に沿わせつつ浮かないようして、各電線の末端に装着した圧着端子をインバータアーム５上にねじ止めすることによりツイストペア電線接続点３２（グランド）とツイストペア電線接続点３３に固定する。
【０００８】
ツイストペア電線接続点３２（グランド）に接続されているツイストペア電線３１の一方はゲート駆動回路内にある短絡検知回路のグランドに接続され、ツイストペア電線接続点３３に接続されているツイストペア電線３１のもう一方はゲート駆動回路内にある短絡検知回路の保護を行うかどか判定する回路に接続される。
【０００９】
このように構成することによって、直流電圧電源１の両端が何らかの原因により短絡し第１のスイッチング素子２１(ＩＧＢＴ)および第２のスイッチング素子２２(ＩＧＢＴ)の間のインバータアーム５に短絡電流が流れた場合、短絡電流の向きはインバータアーム５の上から下に流れる向きだから、ツイストペア電線３１を接続したインバータアーム間の浮遊インダクタンスLに発生する誘導起電力による電圧(Ldi/dt)は短絡電流を妨げる向きに発生する。そのため、ツイストペア電線接続点３２（グランド）の方がツイストペア電線接続点３３に比べて電位が高くなる。
【００１０】
ツイストペア電線接続点３２（グランド）に接続されているツイストペア電線３１の一方はゲート駆動回路内にある短絡検知回路のグランドに接続されているので、ツイストペア電線接続点３３に発生する電圧は負の値になる。この値のとき短絡と検知し単位インバータ４の通常動作時は短絡と検知しないようにゲート駆動回路内にある短絡検知回路の設定を行うことによりこの構成による短絡検知が可能となる。
【産業上の利用可能性】
【００１１】
直流電圧電源の両端が何らかの原因により短絡しインバータアームに短絡電流が流れた時、ツイストペアの電線を接続したインバータアーム間の浮遊インダクタンスLに発生する誘導起電力による電圧(Ldi/dt)を検出し直流電圧電源の両端に短絡が発生したこと検知することができるので、高価な変流器やその他の電流検出装置を使用している用途に適用できる。
【図面の簡単な説明】
【００１２】
【図１】本発明のインバータ装置を構成する回路図を示す。
【符号の説明】
【００１３】
１    直流電圧電源
２１  第１のスイッチング素子(ＩＧＢＴ)
２２  第２のスイッチング素子(ＩＧＢＴ)
３１  ツイストペア電線
３２  ツイストペア電線接続点(グランド)
３３  ツイストペア電線接続点
４    単位インバータ
５    インバータアーム
【図１】
2008092713.tif 000003
(57)【要約】【課題】LEDとスイッチを併用した方式、LEDの表示、LCDやタッチパネルなどを装備、パソコンに接続する方式等によらないで、かつ機器毎に高価な表示部や多数の操作部を装愉しなくとも、情報量の多い表示機能と、操作性の良い操作機能が実現でき、かつ無線で通信を行うことで、ケーブル類を持ち歩かなくてすむことから携帯性に優れ、機器の保守等に有効であるものを提供する。【解決手段】機器類において、携帯端末と通信するための無線通信部を備えた機器と、該無線通信部と、表示部と、操作部を備えた該携帯端末との間で無線通信を行うことにより、該機器の操作と表示を前記携帯端末にて行うことを特徴とする。【選択図】図１
2008092388.tif 000002
【特許請求の範囲】
【請求項１】
機器類において、携帯端末と通信するための無線通信部を備えた機器と、該無線通信部と、表示部と、操作部を備えた該携帯端末との間で無線通信を行うことにより、該機器の操作と表示を前記携帯端末にて行うことを特徴とする操作と表示の方式。
【発明の詳細な説明】
【技術分野】
【０００１】
本発明は、機器の操作や表示に関わるものである。
【背景技術】
【０００２】
従来、機器類の操作部と表示部には、LEDにスイッチを併用したものや、LCDにタッチパネルを併用し、機器にケーブルを使用してパソコンを接続し、通信プログラムにより操作や表示をさせる方式などが取られる。
【特許文献１】特開平６−８５７７号公報
【発明の開示】
【発明が解決しようとする課題】
【０００３】
前述した従来の方式において、LEDとスイッチを併用した方式では、コストが安くすむものの、表示できる情報量が少ないため、LEDの表示の意味を掴み取りにくく、スイッチの操作方法もわかりにくい。
【０００４】
LCDにタッチパネルを併用した場合では表示できる情報量が多く、操作方法もわかりやすくすることができるが、機器毎にLCDやタッチパネルなどを装備する必要があり、機器単体のコストが高くなる。
【０００５】
パソコンに接続する方式では、表示できる情報量が多く、操作方法もわかりやすくすることができるが、常にパソコン本体と接続のための治具を持ち歩くことになり、携帯に不便である。本発明はこれらの問題を解決するために考案されたものである。
【課題を解決するための手段】
【０００６】
前記課題を解決するために、機器類の操作と表示の方式において、機器側には無線通信部を備え、携帯端末には無線通信部と、操作部と、表示部を備え、機器と携帯端末間の無線通信により、携帯端末側を操作することで、その操作内容を無線通信で機器側に通知し、機器のプログラムを動作させ、機器側から機器の状態を携帯端末側に通知し、携帯端末側にて機器の状態を表示するものである。
【発明の効果】
【０００７】
本発明によれば、機器毎に高価な表示部や多数の操作部を装愉しなくとも、情報量の多い表示機能と、操作性の良い操作機能が実現でき、かつ無線で通信を行うことで、ケーブル類を持ち歩かなくてすむことから携帯性に優れ、特に機器の保守等に有効である。また、携帯端末の表示をグラフィカル等にすることにより、表示内容が理解しやすくなることも期待でき、実用上大いに有用である。
【発明を実施するための最良の形態】
【０００８】
本発明の実施例について、図１を用いて詳述する。同図において、１は携帯端末、２は携帯端末１に内蔵された無線通信部、３は携帯端末１の表示部、４は携帯端末１の操作部、５は操作や表示を行う対象となる機器、６は機器５の無線通信部、７は機器プログラム制御部である。なお、本例の構成においては、携帯端末１を携帯電話、無線通信部は赤外線通信（lrDA）としている。
【０００９】
携帯端末１の操作部４から操作が行われると、携帯端末１に内蔵された無線通信部２から、機器５に内蔵された無線通信部６ヘデータを送信する。機器プログラム制御部７は、無線通信部６からこのデータを受信すると、データの内容に対応した動作を行う。機器５に内蔵された無線通信部６から、携帯端末１に内蔵された無線通信部２
ヘデータが送信されると、携帯端末１では無線通信部２からこのデータを受信すると、表示部３にデータの内容に応じて表示を行う。
【産業上の利用可能性】
【００１０】
LCDにタッチパネルを併用した場合では表示できる情報量が多く、操作方法もわかりやすくすることができるが、機器毎にLCDやタッチパネルなどを装備する必要があり、機器単体のコストが高くなる。このような操作、表示部を有する多くの機器に無線通信、携帯端末化に適用できる。
【図面の簡単な説明】
【００１１】
【図１】図１は本発明の操作と表示の方式の構成図例を図示したものである。
【符号の説明】
【００１２】
１    携帯端末
２    無線通信部
３    表示部
４    操作部
５    機器
６    無線通信部
７    機器プログラム制御部
【図１】
2008092388.tif 000003
(57)【要約】【課題】バリスタ電圧のばらつきがあっても、ヒューズに電流を通して、コンデンサを保護することのできる電源回路を提供する。【解決手段】電源回路の入力を短絡させるバリスタ１２を備えており、バリスタ１２と商用交流電源ＡＣとをヒューズ１１を介して接続した電源回路において、バリスタ１２として、２以上のバリスタ１２を並列に用いていることを特徴とする。【選択図】図１
2008092631.tif 000002
【特許請求の範囲】
【請求項１】
電源回路の入力を短絡させるバリスタを備えており、上記電源回路の入力と商用交流電源とをヒューズを介して接続した電源回路において、
上記バリスタとして、２以上のバリスタを並列に用いていることを特徴とする電源回路。
【請求項２】
請求項１において、
上記２以上のバリスタは、バリスタ電圧が同規格であることを特徴とする電源回路。
【発明の詳細な説明】
【技術分野】
【０００１】
本発明は、電源回路の改良に関する。
【背景技術】
【０００２】
近時、特許文献１に示すような電源回路が広く普及している。
【０００３】
この種の電源回路では、その入力側には、商用交流電源に、バリスタとコンデンサとを並列に接続しており、商用交流電源側から入来するサージをバリスタで吸収してバリスタ電圧まで低下させ、そのバリスタ電圧を後段の出力側に入力させるようにしている。
【０００４】
図３は、電子機器における従来の電源回路の構成を示す図である。この電源回路１００は、例えばスイッチング回路２の入力を短絡させるバリスタ１０２を備えており、スイッチング回路２の入力を、ヒューズ１０１、接続端子Ｔを介して、商用交流電源ＡＣに接続している。また、スイッチング電源２は、ノイズ吸収用のコンデンサ２１を備えている。
【０００５】
このような電源回路１００では、商用交流電源ＡＣ側からサージが入来すると、バリスタ１０２が絶縁体から半導体に変化し、バリスタ１０２、ヒューズ１０１を経路とした電流Ｉが流れることにより、ヒューズ１０１を溶断させるが、その溶断が終了するまでの間、コンデンサ２１には、その耐圧より低いバリスタ電圧が加わるだけなので、破壊から保護される。
【特許文献１】特開平１−１８５１６６号公報
【発明の開示】
【発明が解決しようとする課題】
【０００６】
ところが、この種の従来の電源回路に用いられるバリスタは、バリスタ電圧のバラツキが大きいため、場合によっては、商用交流電源側からサージが入来しても絶縁体のまま変化せず、耐圧を超えた電圧によってコンデンサが破壊し、また、バリスタに電流が流れないことからヒューズが溶断せずに、他の回路素子が破損するという問題があった。
【０００７】
本発明は、このような問題を考慮して提案されるものであり、バリスタ電圧のばらつきがあっても、確実にコンデンサを保護し、かつヒューズを溶断させることにより、他の回路素子を破損から保護できる電源回路を提供することを目的とする。
【課題を解決するための手段】
【０００８】
上記目的を達成するために、本発明の請求項１では、電源回路の入力を短絡させるバリスタを備えており、電源回路の入力と商用交流電源とをヒューズを介して接続した電源回路において、バリスタとして、２以上のバリスタを並列に用いていることを特徴とする。
【０００９】
請求項２では、２以上のバリスタは、バリスタ電圧が同規格であることを特徴とする。
【発明の効果】
【００１０】
請求項１によれば、バリスタとして、２以上のバリスタを並列に用いているので、バリスタ電圧にバラツキがあっても、サージが入来したときには、いずれかのバリスタが半導体に変化し、ヒューズに電流を通すことができる可能性が高くなる。
【００１１】
請求項２によれば、それらのバリスタは、バリスタ電圧がいずれも同規格であることから、特定の電圧で全てのバリスタが一斉に電流を流すので、ヒューズを速やかに溶断させることができる。
【発明を実施するための最良の形態】
【００１２】
以下に、本発明の実施の形態について説明する。
【００１３】
図１は、本発明による電源回路の要部構成の例を示す図である。
【００１４】
この電源回路１は、例えば、機器の動作電源として直流電源を出力するスイッチング回路２の入力を、ヒューズ１１、接続端子Ｔを介して、１００Ｖの商用交流電源ＡＣに接続している。スイッチング回路２は、回路素子として、スイッチングノイズが商用交流電源ＡＣ側に漏出しないようにするためのノイズ吸収用コンデンサ２１を備え、更に、その入力には、スイッチング回路２の入力を短絡させるため、３個のバリスタ１２（＃１）〜１２（＃３）を並列に接続している。ここで、３個というのは一例であり、２個あるいは４個以上としてもよいが、本発明の効果を最大限に発揮するには、それらのバリスタ電圧が同規格、かつコンデンサ２１の耐圧よりも低いものを用いることが望まれる。
【００１５】
このような電源回路１では、バリスタ１２（＃１）〜１２（＃３）は、商用交流電源ＡＣの電圧レベルにおいては絶縁体になっているが、商用交流電源ＡＣ側から、いずれかのバリスタ１２（＃１）〜１２（＃３）のバリスタ電圧を超えるサージが入来した場合には、半導体になって導通する。その結果、コンデンサ２１に加わる電圧がバリスタ電圧に制限されるので、コンデンサ２１が破壊から保護される。また、バリスタ１２を経路とした電流Ｉによって、ヒューズ１１が溶断するので、スイッチング電源回路２を構成する他の回路素子（図示なし）の破損も防止できる。
【００１６】
このように、上記例では、スイッチング電源回路２の入力に、３以上のバリスタ１２を並列に用いているので、それらのバリスタ電圧にバラツキがあっても、商用交流電源ＡＣ側からサージが入来したときには、いずれかのバリスタが半導体に変化し、ヒューズに電流を通すことができる可能性が高くなる。更に、それらのバリスタは、バリスタ電圧が同規格であることから、特定の電圧以上になると一斉に電流を流すので、ヒューズを速やかに溶断させることができる。
【００１７】
図２は、本発明による電源回路１の別例であって、インバータ回路２Ａを組み込んだものである。
【００１８】
この別例では、インバータ回路２Ａの入力を、ヒューズ１１、接続端子Ｔを介して、１００Ｖの商用交流電源ＡＣに接続し、更に、その入力には、インバータ回路２Ａの入力を短絡させるため、３個のバリスタ１２（＃１）〜１２（＃３）を並列に接続している。
【００１９】
インバータ回路２Ａは、スイッチングノイズが商用交流電源ＡＣ側に漏出しないようにするためのノイズ吸収用コンデンサ２１、コモンモードチョークコイル２２、ダイオードブリッジ２３、平滑用コンデンサ２４、スイッチング回路２５等で構成され、出力に負荷３を接続している。
【００２０】
この例においても、上記と同様に、コンデンサ２１等が、バリスタ１２（＃１）〜１２（＃３）によって、商用交流電源ＡＣ側から入来するサージから保護される。
【図面の簡単な説明】
【００２１】
【図１】本発明による電源回路の要部構成の一例を示す図
【図２】本発明による電源回路の別例を示す図
【図３】従来の電源回路の構成を示す図
【符号の説明】
【００２２】
１  電源回路
１１  ヒューズ
１２  バリスタ
ＡＣ  商用交流電源
【図１】
2008092631.tif 000003
【図２】
2008092631.tif 000004
【図３】
2008092631.tif 000005